【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
タンク内に空気を貯留する圧縮機本体と、該圧縮機本体を駆動するモータと、前記タンク内の圧力値を検出する圧力検出手段と、該圧力検出手段の検出結果に基づいて前記モータの駆動を制御する制御手段とを有するインバータ駆動圧縮機において、
前記制御手段は、最大制御操作量で前記モータを駆動した後、前記圧力検出手段で検出されるタンク内圧力値が、第１の設定圧力値に達した時点で、該時点での前記第１の設定圧力値を固定の目標値として自動制御を行い、その後、前記圧力検出手段で検出されるタンク内圧力値が、予め設定された第２の設定圧力値に達すると、該第２の設定圧力値を目標値として自動制御を行うことを特徴とするインバータ駆動圧縮機。
【請求項２】
前記第１の設定圧力値を該第１の設定圧力値に達するまでの前記圧力検出手段の検出結果に応じて設定することを特徴とする請求項１記載のインバータ駆動圧縮機。
【請求項３】
前記自動制御は、比例積分制御であることを特徴とする請求項１または２に記載のインバータ駆動圧縮機。
【請求項４】
タンク内に空気を貯留する圧縮機本体と、該圧縮機本体を駆動するモータと、前記タンク内の圧力値を検出する圧力検出手段と、該圧力検出手段の検出結果に基づいて前記モータの駆動を制御する制御手段とを有するインバータ駆動圧縮機において、
前記制御手段は、前記モータへの通電後最大制御操作量で前記モータを駆動し、前記圧力検出手段の検出結果に応じて第１の設定圧力値を設定し、前記タンク内圧力値が前記第１の設定圧力値に達した時点で、前記モータの減速制御を開始し、その後、圧力検出手段で検出されるタンク内圧力値が、予め設定された第２の設定圧力値に達すると、該第２の設定圧力値を目標値として設定圧力一定制御を行うことを特徴とするインバータ駆動圧縮機。
【請求項５】
前記圧力検出手段の検出結果は、前記圧力検出手段で検出されるタンク内圧力値の上昇率であることを特徴とする請求項２または４に記載のインバータ駆動圧縮機。
【請求項６】
前記第１の設定圧力値は、予め設定された第２の設定圧力値から、前記モータの減速中に上昇するタンク内圧力値の推定値を減算した値とすることを特徴とする請求項２、４、５の何れかに記載のインバータ駆動圧縮機。
【手続補正２】
【補正対象書類名】明細書
【補正対象項目名】００１０
【補正方法】変更
【補正の内容】
【００１０】
これにより、制御手段は、モータを最大制御操作量で駆動することで、素早く最終的な目標値に近づけるとともに、圧力検出手段で検出されるタンク内圧力値が第１の設定圧力値に達すると、この時点での第１の設定圧力値を固定の目標値として自動制御（例えば、Ｐ制御、Ｉ制御、ＰＩ制御、ＰＩＤ制御等）を行うことで、モータを減速させる。そして、その後、圧力検出手段で検出されるタンク内圧力値が、予め設定された第２の設定圧力値に達すると、最終的な目標値であるこの第２の設定圧力値を目標値として自動制御（例えば、Ｐ制御、Ｉ制御、ＰＩ制御、ＰＩＤ制御等）を行うことでタンク内圧力値を最終的な目標値に一致させることができる。
【手続補正３】
【補正対象書類名】明細書
【補正対象項目名】００１１
【補正方法】変更
【補正の内容】
【００１１】
このとき、前記第１の設定圧力値を該第１の設定圧力値に達するまでの前記圧力検出手段の検出結果に応じて設定するのが好ましい。さらに、前記制御手段は、比例積分制御であることが好ましい。
また、上記目的を達成するための別の手段は、タンク内に空気を貯留する圧縮機本体と、該圧縮機本体を駆動するモータと、前記タンク内の圧力値を検出する圧力検出手段と、該圧力検出手段の検出結果に基づいて前記モータの駆動を制御する制御手段とを有するものであって、前記制御手段は、前記モータへの通電後最大制御操作量で前記モータを駆動し、前記圧力検出手段の検出結果に応じて第１の設定圧力値を設定し、前記タンク内圧力値が前記第１の設定圧力値に達した時点で、前記モータの減速制御を開始し、その後、圧力検出手段で検出されるタンク内圧力値が、予め設定された第２の設定圧力値に達すると、該第２の設定圧力値を目標値として設定圧力一定制御を行うことを特徴としている。
これにより、制御手段は、モータを最大制御操作量で駆動することで、素早く最終的な目標値に近づけるとともに、第１の設定圧力値を、圧力検出手段の検出結果に応じて適切な値に設定することができ、この第１の設定圧力値によりモータの減速を開始させる。そして、その後、圧力検出手段で検出されるタンク内圧力値が、予め設定された第２の設定圧力値に達すると、最終的な目標値であるこの第２の設定圧力値を目標値として設定圧力一定制御を行うことでタンク内圧力値を最終的な目標値に一致させることができる。
また、前記圧力検出手段の検出結果は、前記圧力検出手段で検出されるタンク内圧力値の上昇率であることが好ましい。また、前記第１の設定圧力値は、予め設定された第２の設定圧力値から、前記モータの減速中に上昇するタンク内圧力値の推定値を減算した値とすることが好ましい。
【手続補正４】
【補正対象書類名】明細書
【補正対象項目名】００３６
【補正方法】変更
【補正の内容】
【００３６】
【発明の効果】
請求項１に記載の発明によれば、制御手段は、モータを最大制御操作量で駆動することで、素早く最終的な目標値に近づけるとともに、圧力検出手段で検出されるタンク内圧力値が第１の設定圧力値に達すると、この時点での第１の設定圧力値を固定の目標値として自動制御を行うことで、モータを減速させる。そして、その後、圧力検出手段で検出されるタンク内圧力値が、予め設定された第２の設定圧力値に達すると、最終的な目標値であるこの第２の設定圧力値を目標値として自動制御を行うことで、タンク内圧力値を最終的な目標値に一致させることができる。
請求項２に記載の発明によれば、第１の設定圧力値はタンク内の圧力検出手段の検出結果に応じて設定することで、第１の設定圧力値をタンク内の圧力上昇率等に応じて適切な値に設定することができ、第１の設定圧力値によりモータの減速を開始させることで素早く目標値にすることができる。
請求項３に記載の発明によれば、自動制御として比例積分制御を行うため、オーバーシュートを防止することができる。
請求項４に記載の発明によれば、制御手段は、モータを最大制御操作量で駆動することで、素早く最終的な目標値に近づけるとともに、第１の設定圧力値は、タンク内の圧力検出手段の検出結果に応じて設定することで、第１の設定圧力値をタンク内の圧力上昇率等に応じて適切な値に設定することができ、第１の設定圧力値によりモータの減速を開始させることで素早く目標値にすることができる。そして、その後、圧力検出手段で検出されるタンク内圧力値が、予め設定された第２の設定圧力値に達すると、最終的な目標値であるこの第２の設定圧力値を目標値として設定圧力一定制御を行うことで、タンク内圧力値を最終的な目標値に一致させることができる。
請求項５に記載の発明によれば、タンク内の圧力上昇率に応じて第１の設定圧力値を設定したので、圧力上昇率が大きいときには第１の設定圧力値を低く設定し、逆に圧力上昇率が小さいときには、第１の設定圧力値を高く設定することで、モータの減速開始点を適切に調整し、素早く目標値にすることができる。
請求項６に記載の発明によれば、第１の設定圧力値は、前記モータの減速中に上昇するタンク内圧力値の推定値を減算した値とするので、タンク内圧力値の上昇度合いに見合うように、第１の設定圧力値を設定することができ、素早く目標値にすることができる。